(57)【要約】【課題】中空部を確実に形成でき、かつ、この中空部を空気流通経路として利用できるボイドスラブを提供すること。【解決手段】ボイドスラブ１は、所定方向に並んで配置された複数の梁１０と、これら複数の梁１０の下端同士を連結する下側スラブ１１と、複数の梁１０の上端同士を連結する上側スラブ１２と、を備える。複数の梁１０、下側スラブ１１、および上側スラブ１２で囲まれた中空部２０には、鋼製で円筒形状のスパイラルダクト２１が収容され、中空部２０には、押出発泡ポリスチレンからなり梁１０の側面を覆う一対の壁型枠３１と、押出発泡ポリスチレンからなり一対の壁型枠３１同士を所定間隔おきに連結する横桟３２と、が設けられる。横桟３２には、少なくとも一部に切り欠き部３４が設けられ、この切り欠き部３４を通って空調用ダクト３５が形成される。【選択図】図１
2015168948.tif 000002
【特許請求の範囲】
【請求項１】
空気流通経路を有するコンクリート造のボイドスラブであって、
所定方向に並んで配置された複数の梁と、当該複数の梁の下端同士を連結する下側スラブと、前記複数の梁の上端同士を連結する上側スラブと、を備え、
前記複数の梁、下側スラブ、および上側スラブで囲まれた中空部には、前記梁の側面を覆う一対の壁型枠と、当該一対の壁型枠同士を所定間隔おきに連結する横桟と、が設けられるとともに、
前記横桟には、少なくとも一部に切り欠き部が設けられ、当該切り欠き部を通って空調用ダクトが形成されることを特徴とするボイドスラブ。
【請求項２】
前記空調用ダクトには、円筒形状の鋼管が設置されることを特徴とする請求項１に記載のボイドスラブ。
【請求項３】
前記壁型枠および前記横桟は、押出発泡ポリスチレンまたは紙製のハニカムコア積層材で形成されることを特徴とする請求項１または２に記載のボイドスラブ。
【請求項４】
前記下側スラブと当該空調用ダクトとの間には、断熱材が設けられるとともに、
前記下側スラブには、中空部と外部とを連通する開口が形成されることを特徴とする請求項１から３のいずれかに記載のボイドスラブ。
【発明の詳細な説明】
【技術分野】
【０００１】
本発明は、コンクリート造建物において、スラブ内部に中空部を有するボイドスラブに関する。
【背景技術】
【０００２】
従来より、コンクリート造建物のスラブ構造の１つとして、スラブ内にパイプを配置し、この状態でコンクリートの打設を行うことで、スラブの内部に中空部を設けたボイドスラブがある（特許文献１参照）。このボイドスラブでは、埋設したパイプの中空部分を、換気用の空気が流通する空気流通経路として利用することが提案されている。
【先行技術文献】
【特許文献】
【０００３】
【特許文献１】特開２００８−１３３６８８号公報
【発明の概要】
【発明が解決しようとする課題】
【０００４】
ところで、以上のようなボイドスラブでは、中空部を任意の形状にしたい場合がある。この場合、以下の手順でボイドスラブを構築する。
まず、中空部の下側のスラブのコンクリートを打設して構築する。
次に、軽量で剛性の低い板状の押出発泡ポリスチレンを型枠として用いて、下側スラブの上に中空部の形状に埋め殺しの型枠を建て込む。具体的には、例えば、中空部の互いに対向する壁面に沿って一対の板状の壁型枠を配置し、所定間隔おきに横桟を設けて、これら横桟により一対の壁型枠同士を連結して、壁型枠の剛性を確保する。また、この壁型枠の上に天井型枠を配置する。
その後、中空部の上側のスラブのコンクリートを打設して、ボイドスラブを完成させる。
【０００５】
しかしながら、以上の型枠では、横桟により中空部の断面が塞がれるため、換気用の空気の流路を確保できなくなるおそれがあった。
【０００６】
本発明は、中空部を確実に形成でき、かつ、この中空部を空気流通経路として利用できるボイドスラブを提供することを目的とする。
【課題を解決するための手段】
【０００７】
請求項１に記載のボイドスラブ（例えば、後述のボイドスラブ１）は、空気流通経路を有するコンクリート造のボイドスラブであって、所定方向に並んで配置された複数の梁（例えば、後述の梁１０）と、当該複数の梁の下端同士を連結する下側スラブ（例えば、後述の下側スラブ１１）と、前記複数の梁の上端同士を連結する上側スラブ（例えば、後述の上側スラブ１２）と、を備え、前記複数の梁、下側スラブ、および上側スラブで囲まれた中空部（例えば、後述の中空部２０）には、前記梁の側面を覆う一対の壁型枠（例えば、後述の壁型枠３１）と、当該一対の壁型枠同士を所定間隔おきに連結する横桟（例えば、後述の横桟３２）と、が設けられるとともに、前記横桟には、少なくとも一部に切り欠き部（例えば、後述の切り欠き部３４）が設けられ、当該切り欠き部を通って空調用ダクト（例えば、後述の空調用ダクト３５）が形成されることを特徴とするボイドスラブ。
【０００８】
請求項２に記載のボイドスラブは、前記空調用ダクトには、円筒形状の鋼管（例えば、後述のスパイラルダクト２１）が設置されることを特徴とする。
【０００９】
この発明によれば、中空部を形成する際に、梁の側面を一対の壁型枠で覆うとともに、これら一対の壁型枠同士を所定間隔おきに連結する横桟を設けたので、横桟が支保工として機能し、壁型枠の剛性を確保できる。
また、隣接する横桟同士について、同じ位置を切断して撤去して、一直線上に連続する切り欠き部を形成し、これら切り欠き部を通る空調用ダクトに円筒形状の鋼管を配置して横桟を貫通させた。このように鋼管を切り欠き部に当接して配置することで、支保工としての機能を発揮して、壁型枠が建て込み位置からずれるのを防止できる。よって、中空部を確実に形成でき、かつ、この中空部を空気流通経路として利用できる。
【００１０】
請求項３に記載のボイドスラブは、前記壁型枠および前記横桟は、押出発泡ポリスチレンまたは紙製のハニカムコア積層材で形成されることを特徴とする。
【００１１】
壁型枠および横桟を、押出発泡ポリスチレンまたは紙製のハニカムコア積層材で形成した。これら押出発泡ポリスチレンまたは紙製のハニカムコア積層材は、軽量である程度の剛性を有するうえに、切断加工が容易であるので、施工性が高い。
なお、これら押出発泡ポリスチレンまたは紙製のハニカムコア積層材は、中空部の床面を構成する下側スラブ上に配置したが、この下側スラブに貼着させてもよい。
【００１２】
空調用ダクトは、ボイドスラブのコンクリートと、中空部の内周面に沿って設けられた押出発泡ポリスチレンまたは紙製のハニカムコア積層材により、二重に覆われる。よって、空調用ダクト内を流通する低温空気や高温空気の熱量が、外部に熱移動・熱伝達するのを減少させるための断熱性を確保できるうえに、この熱移動に伴う耐水性も確保できる。また、流通する空気の移動に伴って発生する音に対する遮音性も確保できる。
【００１３】
また、中空部内に錆が発生しないように、中空部内の型枠に防錆塗装を施すことが好ましい。
【００１４】
請求項４に記載のボイドスラブは、前記下側スラブと当該空調用ダクトとの間には、断熱材（例えば、後述の断熱材２２）が設けられるとともに、前記下側スラブには、中空部と外部とを連通する開口（例えば、後述の開口１３）が形成されることを特徴とする。
【００１５】
この発明によれば、空調用ダクトの下方側に断熱材を敷設したので、空調用ダクト内を流通する低温空気の影響による結露を防止できる。すなわち、この断熱材により、熱伝導率を低下させて、空調ダクト内を流通する空気に含まれる水粒子が気体から液体に凝縮するのを防止する。
また、断熱材を下側スラブ上に敷設したので、室内の水蒸気がボイドスラブ内の中空部の内部に浸入し、外気温の影響で室内よりも温度が低いボイドスラブ内の中空部の内部で結露（内部結露）するのを防止できる。
【００１６】
また、下側スラブに、中空部と外部とを連通する開口を形成したので、この開口に空調の吹出口を取り付けたり、あるいは、この開口を通して中空部に設置したダクトを外部に引き出したりして、開口を利用できる。
【発明の効果】
【００１７】
本発明によれば、横桟が支保工として機能し、壁型枠の剛性を確保できる。また、隣接する横桟同士について、同じ位置を連続して切断し撤去して欠き込み部を形成し、この書き込み部に円筒形状の鋼管を配置して横桟を貫通させた。この鋼管を欠き込み部に当接して配置することで、支保工としての機能を発揮して、壁型枠が建て込み位置からずれるのを防止できる。よって、中空部を確実に形成でき、かつ、この中空部を空気流通経路として利用できる。
【図面の簡単な説明】
【００１８】
【図１】本発明の一実施形態に係るボイドスラブの水平断面図である。
【図２】図１のＡ−Ａ断面図である。
【図３】図１のＢ−Ｂ断面図である。
【図４】前記実施形態に係るボイドスラブを構築する手順を説明するための断面図（その１）である。
【図５】前記実施形態に係るボイドスラブを構築する手順を説明するための断面図（その２）である。
【図６】前記実施形態に係るボイドスラブを構築する手順を説明するための断面図（その３）である。
【発明を実施するための形態】
【００１９】
以下、本発明の一実施形態について、図面を参照しながら説明する。
図１は、本発明の一実施形態に係るボイドスラブ１の水平断面図である。図２は、図１のＡ−Ａ断面図である。図３は、図１のＢ−Ｂ断面図である。
ボイドスラブ１は、所定方向に並んで配置された複数の梁１０と、これら複数の梁１０の下端同士を連結する下側スラブ１１と、複数の梁１０の上端同士を連結する上側スラブ１２と、を備える。
【００２０】
以上の複数の梁１０、下側スラブ１１、および上側スラブ１２で囲まれた空間を、中空部２０とする。この中空部２０には、埋め殺しの型枠３０が建て込まれている。
具体的には、型枠３０は、梁１０の側面を覆う一対の壁型枠３１と、これら一対の壁型枠３１同士を連結する横桟３２と、壁型枠３１および横桟３２の上に設けられて上側スラブ１２の下面を覆うスラブ型枠３３と、を備える。
【００２１】
壁型枠３１は、押出発泡ポリスチレンからなり、所定方向つまり梁１０の長さ方向に沿って延びている。
横桟３２は、押出発泡ポリスチレンからなり、所定方向に交差する方向つまり梁１０の幅方向に延びている。この横桟３２は、梁１０の長さ方向に所定間隔おきに設けられる。
【００２２】
スラブ型枠３３は、押出発泡ポリスチレンからなり、略水平に設置される。このスラブ型枠３３は、壁型枠３１および横桟３２により支持される。
以上より、横桟３２は、壁型枠３１およびスラブ型枠３３の型枠支保工として機能することになる。
【００２３】
具体的には、壁型枠３１および横桟３２は、例えば、押出発泡ポリスチレンの１８２０ｍｍ×９１０ｍｍ×１００ｍｍ（厚さ）の規格品を、所定の大きさに切断して用いられる。
また、横桟３２は、２００〜３００ｍｍ間隔で設け、壁型枠３１を支持させる。
【００２４】
また、中空部２０には、梁１０に沿って延びる空調用ダクトであるスパイラルダクト２１が収容されている。
スパイラルダクト２１は、円筒形状の鋼管であり、横桟３２を貫通して設置される。
つまり、隣接する横桟３２同士について、同じ位置が切断して撤去されて、一直線上に連続する切り欠き部３４が設けられる。これら切り欠き部３４を通って、空気流通経路である空調用ダクト３５が形成されており、この空調用ダクト３５には、円筒形状の鋼管であるスパイラルダクト２１が設置される。
また、下側スラブ１１とスパイラルダクト２１との間には、押出発泡ポリスチレンからなる断熱材２２が設けられる。
【００２５】
また、下側スラブ１１には、中空部２０と外部とを連通する開口１３が形成される。
この開口１３の直上には、断熱材２２が設けられておらず、また、スパイラルダクト２１も配置されていない。
【００２６】
以上のボイドスラブ１は、以下の手順で構築される。
まず、図４に示すように、下側スラブ１１のスラブ型枠４０の上に、下側スラブ１１のスラブ鉄筋１４および梁１０の梁鉄筋１５を配筋して、下側スラブ１１の床面のレベルまでコンクリートを打設する。これにより、下側スラブ１１および梁１０の下部を構築する。このとき、図示しないが、スラブ型枠４０の上に開口１３の型枠を建て込んで、開口１３を箱抜きしておく。
【００２７】
次に、図５に示すように、中空部２０となる部分に断熱材２２およびスパイラルダクト２１を設置するとともに、型枠３０を建て込む。
次に、図６に示すように、上側スラブ１２のスラブ鉄筋１６を配筋して、上側スラブ１２の床面のレベルまでコンクリートを打設する。
【００２８】
本実施形態によれば、以下のような効果がある。
（１）中空部２０を形成する際、梁１０の側面を一対の壁型枠３１で覆うとともに、これら一対の壁型枠３１同士を所定間隔おきに連結する横桟３２を設けたので、横桟３２が支保工として機能し、壁型枠３１の剛性を確保できる。
また、隣接する横桟３２同士について、同じ位置を切断して撤去して、一直線上に連続する切り欠き部３４を形成し、これら切り欠き部３４を通る空調用ダクト３５に円筒形状の鋼管であるスパイラルダクト２１を配置して横桟３２を貫通させた。このようにスパイラルダクト２１を切り欠き部３４に当接して配置することで、支保工としての機能を発揮して、壁型枠３１が建て込み位置からずれるのを防止できる。よって、中空部２０を確実に形成でき、かつ、この中空部を空気流通経路として利用できる。
【００２９】
（２）壁型枠３１および横桟３２を、押出発泡ポリスチレンで形成した。この押出発泡ポリスチレンは、軽量である程度の剛性を有するうえに、切断加工が容易であるので、施工性が高い。
【００３０】
空調用ダクト３５は、ボイドスラブの１コンクリートと、中空部２０の内周面に沿って設けられた押出発泡ポリスチレンの型枠３０により、二重に覆われる。よって、空調用ダクト３５内を流通する低温空気や高温空気の熱量が、外部に熱移動・熱伝達するのを減少させるための断熱性を確保できるうえに、この熱移動に伴う耐水性も確保できる。また、流通する空気の移動に伴って発生する音に対する遮音性も確保できる。
【００３１】
（３）空調用ダクト３５の下方側に断熱材２２を敷設したので、空調用ダクト３５内を流通する低温空気の影響による結露を防止できる。すなわち、この断熱材２２により、熱伝導率を低下させて、空調ダクト内を流通する空気に含まれる水粒子が気体から液体に凝縮するのを防止する。
また、断熱材２２を下側スラブ１１上に敷設したので、室内の水蒸気がボイドスラブ１内の中空部２０の内部に浸入し、外気温の影響で室内よりも温度が低いボイドスラブ１内の中空部２０の内部で結露（内部結露）するのを防止できる。
【００３２】
（４）下側スラブ１１に、中空部２０と外部とを連通する開口１３を形成したので、この開口１３に空調の吹出口を取り付けたり、あるいは、この開口１３を通して中空部に設置したダクトを外部に引き出したりして、開口１３を利用できる。
【００３３】
なお、本発明は前記実施形態に限定されるものではなく、本発明の目的を達成できる範囲での変形、改良等は本発明に含まれるものである。
本実施形態では、壁型枠３１、横桟３２、およびスラブ型枠３３を、押出発泡ポリスチレンで形成したが、これに限らず、紙製のハニカムコア積層材で形成してもよい。
【符号の説明】
【００３４】
１…ボイドスラブ
１０…梁
１１…下側スラブ
１２…上側スラブ
１３…開口
１４…下側スラブのスラブ鉄筋
１５…梁鉄筋
１６…上側スラブのスラブ鉄筋
２０…中空部
２１…スパイラルダクト
２２…断熱材
３０…型枠
３１…壁型枠
３２…横桟
３３、４０…スラブ型枠
３４…切り欠き部
３５…空調用ダクト
【図１】
2015168948.tif 000003
【図２】
2015168948.tif 000004
【図３】
2015168948.tif 000005
【図４】
2015168948.tif 000006
【図５】
2015168948.tif 000007
【図６】
2015168948.tif 000008